(57)【特許請求の範囲】
【請求項１】
形鋼を使用した造営材の水平突起部に係止せしめる吊り金具に装着し、該吊り金具の支持強度を強化する吊り金具用補強金具において、
吊り金具は、水平突起部の下面を支持する支持部と、該支持部上の水平突起部を上から締め付け固定する締付ボルトを装着した圧着部と、これら支持部と圧着部とを一体に連結する連結部とで側面略コ字状を成し、支持部上の水平突起部に当接せしめる左右一対の羽根を支持部に備えた吊り金具であり、
該吊り金具の連結部の外側面を囲むように連結する平面コ字形状の連結基部と、該連結基部の先端部から延長され、左右の羽根の下面を支持して該羽根を補強する一対の補強片とを備え、吊り金具の連結部又は支持部に開口されている連結孔に重合する位置に固定ボルト挿通孔を開穿し、該固定ボルト挿通孔に挿通した固定ボルトで吊り金具に固定するように構成し、
前記連結基部の後端部に形成された基端面に長ボルト挿通孔を開穿し、造営材に係止して吊り金具の連結部に連結する長ボルトを、該長ボルト挿通孔に挿通するように構成したことを特徴とする吊り金具用補強金具。
【請求項２】
前記固定ボルト挿通孔は、前記吊り金具の前記連結部に開口された連結孔に重合する位置に形成されると共に、前記補強片は、前記連結基部から屈曲延長され、前記支持部に懸吊する下部金具の外側を覆うように形成された請求項１記載の吊り金具用補強金具。
【請求項３】
前記固定ボルト挿通孔は、前記吊り金具の前記支持部に開口された連結孔に重合する位置に形成され、該連結孔に挿通した固定ボルトで固定すると共に、前記補強片を、下部金具と前記支持部との間に配置するように構成した請求項１記載の吊り金具用補強金具。
【発明の詳細な説明】
【技術分野】
【０００１】
本発明は、地震時の繰り返し揺れを受けても吊り金具の変形を防止することができる吊り金具用補強金具に関するものである。
【背景技術】
【０００２】
当出願人は、特許文献１に記載の如く、形鋼に装着した吊り金具が、地震等の振動でも外れないように装着する吊り金具用耐震補助具を先に提案している。この補助具は吊りボルト支持用の吊り金具に装着するもので、この補助具を装着する吊り金具は形鋼フランジの水平突起部に係止する略コ字状の開口部と、この開口部内の水平突起部を下から締め付け固定する締付ボルトとを有するタイプの吊り金具に装着するものである。
【０００３】
特許文献１の補助具の構成は、吊り金具の側面に係止する平面略Ｕ字形状を成し吊り金具の開口方向に延長された係止杆体と、形鋼に連結する固定板体とを備えたものである。この補助具を吊り金具に装着することにより、地震等で、吊り金具の締付ボルトが緩んだとしても、補助金具が吊り金具を支持しているので、吊り金具の脱落を防止することができる。
【０００４】
また、特許文献２に、羽根を備えたタイプの吊り金具を補強する補助具が記載されている。この羽根は、吊り金具の左右側面に一対備えられており、形鋼のフランジに当接させることで、吊り金具に対する左右への支持強度を高める効果がある。特許文献２の補助具では、このような羽根を備えた吊り金具を補強する手段として、前記特許文献１にて使用している平面略Ｕ字形状の係止杆体に替えて長ボルトを使用したものである。
【先行技術文献】
【特許文献】
【０００５】
【特許文献１】特許第２７４７６６７号公報
【特許文献２】特開２０１１-１６３０７８号公報
【発明の概要】
【発明が解決しようとする課題】
【０００６】
特許文献１や特許文献２に記載の補助金具によると、いずれも、係止杆体や長ボルトの長手方向に沿った強化が可能になり、吊り金具の開口部から形鋼のフランジが外れる方向への吊り金具の移動を防止することはできる。ところが、先の東日本大震災により、これら当初の予想に反する方向に思わぬ脆弱性があることが判明した。
【０００７】
すなわち、吊り金具の中でも、特許文献２に記載されている羽根を備えたタイプでは、形鋼のフランジに当接する羽根を左右側面に備えているので、この左右方向への支持強度は特に補強しなくても十分な耐久性があると思われていた。ところが、この羽根を備えたタイプの吊り金具に従来の補助金具を装着したものを震災後に確認すると、この羽根に変形が生じ、フランジと羽根との間に隙間が開いているものが確認されている。これは、羽根を備えたタイプの吊り金具に対し、左右の羽根方向に予想を超えた振動や荷重を受けたことにより、羽根に変形が生じたものである。このように羽根に変形が生じ、フランジとの当接面に隙間が生じている吊り金具は、既にフランジに対する締め付け保持力が完全に失われており、更に余震等が加わると簡単に外れてしまう危険性がある。
【０００８】
そこで、本発明は上述の課題を解消すべく創出されたもので、吊り金具の左右方向に加わる荷重や振動に対する耐久性を強化することができる吊り金具用補強金具の提供を目的とするものである。
【課題を解決するための手段】
【０００９】
上述の目的を達成すべく本発明における第１の手段は、形鋼を使用した造営材Ｐの水平突起部Ｐ１に係止せしめる吊り金具１０に装着し、該吊り金具１０の支持強度を強化する吊り金具用補強金具において、
吊り金具１０は、水平突起部Ｐ１の下面を支持する支持部１１と、該支持部１１上の水平突起部Ｐ１を上から締め付け固定する締付ボルト１５を装着した圧着部１２と、これら支持部１１と圧着部１２とを一体に連結する連結部１３とで側面略コ字状を成し、支持部１１上の水平突起部Ｐ１に当接せしめる左右一対の羽根１４を支持部１１に備えた吊り金具１０であり、
該吊り金具１０の連結部１３の外側面を囲むように連結する平面コ字形状の連結基部１と、該連結基部１の先端部から延長され、左右の羽根１４の下面を支持して該羽根１４を補強する一対の補強片２と、を備え、
吊り金具１０の連結部１３又は支持部１１に開口されている連結孔１６、１８に重合する位置に固定ボルト挿通孔３を開穿し、該固定ボルト挿通孔３に挿通した固定ボルト５で吊り金具１０に固定するように構成し、前記連結基部１の後端部に形成された基端面１Ａに長ボルト挿通孔４を開穿し、造営材Ｐに係止して吊り金具１０の連結部１３に連結する長ボルト２１を、該長ボルト挿通孔４に挿通するように構成したことにある。
【００１１】
第２の手段において、前記固定ボルト挿通孔３は、前記吊り金具１０の前記連結部１３に開口された連結孔１６に重合する位置に形成されると共に、前記補強片２は、前記連結基部１から屈曲延長され、前記支持部１１に懸吊する下部金具１７の外側を覆うように形成されている。
【００１２】
第３の手段において、前記固定ボルト挿通孔３は、前記吊り金具１０の前記支持部１１に開口された連結孔１８に重合する位置に形成され、該連結孔１８に挿通した固定ボルト１９で固定すると共に、前記補強片２を、下部金具１７と前記支持部１１との間に配置するように構成したことにある。
【発明の効果】
【００１３】
本発明の請求項１のごとく、該吊り金具１０の連結部１３の外側面を囲むように連結する平面コ字形状の連結基部１と、該連結基部１の先端部から延長され、左右の羽根１４の下面を支持して該羽根１４を補強する一対の補強片２と、を備え、吊り金具１０の連結部１３又は支持部１１に開口されている連結孔１６、１８に重合する位置に固定ボルト挿通孔３を開穿し、該固定ボルト挿通孔３に挿通した固定ボルト５で吊り金具１０に固定するように構成したことにより、羽根１４を備えたタイプの吊り金具１０に対して左右方向に加わる荷重や振動に対する耐久性を強化することができ、羽根１４の変形を防止することができるものである。
【００１４】
また、連結基部１の後端部に形成された基端面１Ａに長ボルト挿通孔４を開穿し、造営材Ｐに係止して吊り金具１０の連結部１３に連結する長ボルト２１を、該長ボルト挿通孔４に挿通するように構成したことにより、本発明補強金具の使用時に、長ボルト２１を使用する補強金具２０の使用が可能になった。しかも、連結基部１によって連結部１３の強度も補強することができるので、補強金具２０による羽根１４の補強と連結基部１による連結部１３の補強とが相俟って、極めて強力な補強が可能になる。この結果、地震時の繰り返し揺れを受けても羽根１４の変形を防止することができる。
【００１５】
請求項２の如く、固定ボルト挿通孔３は、吊り金具１０の連結部１３に開口された連結孔１６に重合する位置に形成されると共に、補強片２は、連結基部１から屈曲延長され、支持部１１に懸吊する下部金具１７の外側を覆うように形成されていることから、吊り金具１０の支持部１１に懸吊する下部金具１７に妨げられずに装着することができる。
【００１６】
請求項３のように、固定ボルト挿通孔３は、吊り金具１０の支持部１１に開口された連結孔１８に重合する位置に形成され、該連結孔１８に挿通した固定ボルト１９で固定すると共に、補強片２を、下部金具１７と支持部１１との間に配置するように構成したことにより、本発明補強金具を支持部１１と下部金具１７との間に装着することができ、吊り金具１０と一体化した効率の良い補強が可能になるものである。
【図面の簡単な説明】
【００１７】
【図１】本発明の吊り金具の一実施例を示す使用状態の要部斜視図である。
【図２】本発明の吊り金具の一実施例を示す使用状態の要部側面図である。
【図３】本発明の連結基部の一実施例を示す正面図である。
【図４】本発明の連結基部の一実施例を示す平面図である。
【図５】本発明の一実施例を示す斜視図である。
【図６】本発明の他の実施例を示す斜視図である。
【図７】本発明の他の実施例を示す使用状態の斜視図である。
【図８】本発明の連結基部の他の実施例を示す正面図である。
【図９】本発明の他の実施例を示す使用状態の側面図である。
【図１０】本発明の連結基部の他の実施例を示す正面図である。
【発明を実施するための形態】
【００１８】
本発明によると、吊り金具の左右方向に加わる荷重や振動に対する耐久性を強化することができるなどといった当初の目的を達成した。
【実施例】
【００１９】
以下、本発明の実施例を説明する。本発明補強金具は、造営材Ｐの水平突起部Ｐ１に係止せしめる補強金具２０の長ボルト２１を装着して、該吊り金具１０の支持強度を強化するものである。
【００２０】
本発明補強金具は、羽根１４を備えた吊り金具１０を有する（図１参照）。すなわち、この吊り金具１０は、支持部１１、圧着部１２、連結部１３にて側面略コ字状を成している（図２参照）。そして、支持部１１にて水平突起部Ｐ１の下面を支持し、支持部１１上の水平突起部Ｐ１を上から締め付け固定する締付ボルト１５を圧着部１２に装着し、これら支持部１１と圧着部１２とを一体に連結する連結部１３とで側面略コ字状を成すものである。羽根１４は、この支持部１１の左右に一対形成され、水平突起部Ｐ１の下面に当接する。また、支持部１１の側面には連結孔１８が形成されており、この連結孔１８に挿入した固定ボルト１９で下部金具１７を懸吊する（図９参照）。一方、連結部１３の側面には、上下一対の連結孔１６が形成されている。この連結孔１６は、使用状況に応じて任意の部材を連結できるように形成されたものである（図２参照）。本発明補強金具は、これら連結孔１６や連結孔１８を利用して吊り金具１０に装着するものである。
【００２１】
本発明補強金具の基本構成は、連結基部１と補強片２とで構成されている（図１参照）。連結基部１は、吊り金具１０の連結部１３の外側を囲むように連結する平面コ字形状を成している（図４参照）。一方、補強片２は、連結基部１の先端部から延長された左右一対の部材で、吊り金具１０の左右の羽根１４の下面を支持して該羽根１４を補強するように形成したものである（図２参照）。そして、連結基部１又は補強片２の左右側面に固定ボルト挿通孔３を開穿し、該固定ボルト挿通孔３に固定ボルト５を挿通して吊り金具１０に固定するものである。
【００２２】
図１乃至図６に示す実施例では、連結基部１に固定ボルト挿通孔３を開穿した例を示している（図４参照）。この固定ボルト挿通孔３は、吊り金具１０の連結部１３に上下一対設けられた連結孔１６の下部の連結孔１６に重合するように開穿されている。
【００２３】
更に、この実施例の補強片２は、連結基部１から屈曲延長され、支持部１１に懸吊する下部金具１７の外側を覆うように形成されたものである（図４参照）。図示例では、連結基部１の先端部から外側へ張り出す屈曲片２Ａが形成されており、この屈曲片２Ａから補強片２が形成されている。
【００２４】
一方、連結基部１の側面１Ｂ後端部に基端面１Ａが屈曲延長されている（図１参照）。そして、この基端面１Ａに長ボルト挿通孔４を開穿している（図３参照）。この長ボルト挿通孔４は、補強金具２０の長ボルト２１を挿通するように構成したものである（図５、６参照）。
【００２５】
本発明において、補強金具２０とは、造営材Ｐに係止して吊り金具１０の連結部１３に長ボルト２１で連結する補強金具２０である。図示例では、Ｈ形鋼に係止するタイプの補強金具２０と（図５参照）、アングルに係止するタイプの補強金具２０と（図６参照）を示している。これらの補強金具２０は、必要により本発明補強金具と組合せて使用する。Ｈ形鋼に係止するタイプの補強金具２０は、長ボルト２１のネジ山が形成されていない端部を屈曲してＨ形鋼に係止するように構成されている。図５参照）。一方、アングルに係止するタイプの補強金具２０は、アングルの上端部に係止する係止板２２に長ボルト２１を連結するものである（図６参照）。尚、従来の補強金具２０は、図示例に限られるものではなく、長ボルト２１を使用する他の連結金具２０を併用することも可能である。
【００２６】
図７及び図８に示す実施例は、吊り金具１０の連結部１３全体を覆う連結基部１を設けたものである。この連結基部１には、連結部１３に開穿されている上下一対の連結孔１６に重合する一対の固定ボルト挿通孔３を開穿している（図８参照）。図示例では、アングルに係止するタイプの補強金具２０を併用しているが（図７参照）、他の連結金具２０との併用や、補強金具２０を併用しないで利用することも可能である。また、図７に示す連結基部１は、上下一対の固定ボルト挿通孔３から一方を選択して固定ボルト５を連結しているが、両方の固定ボルト挿通孔３に固定ボルト５を連結しても良く、この場合、より高い固定力が得られる。
【００２７】
図９及び図１０に示す実施例では、支持部１１に懸吊する下部金具１７と支持部１１との間に介する補強片２を形成したものである（図９参照）。更に、この支持体２の上端縁から羽根１４の下面に当接せしめる支持片２Ｂを屈曲形成し、羽根１４への支持面積を増大している（図１０参照）。そして、支持部１１に開口された連結孔１８に重合する位置に固定ボルト挿通孔３を形成し、固定ボルト１９で連結している（図９参照）。こうすることで、下部金具１７と補強片２とを一体に連結することができる。図示例では、従来型の補強金具２０を使用しているが（図９参照）、他の補強金具２０との併用や、補強金具２０を併用しないで利用することも可能である。
【産業上の利用可能性】
【００２８】
本発明補強金具では、主に、造営材Ｐの水平突起部Ｐ１に固定する吊り金具１０に装着するものとして説明しているが、本発明補強金具の装着位置はこの例に限られるものではなく、吊り金具１０を固定可能な位置であればどのような場所でも良く、本発明の利用場所はこの例に限られるものではない。また、本発明は図示例に限定されるものではなく、本発明の要旨を変更しない範囲での設計変更は自由である。
【符号の説明】
【００２９】
Ｐ  造営材
Ｐ１  水平突起部
Ｑ  吊りボルト
１  連結基部
１Ａ  基端面
１Ｂ  側面
２  補強片
２Ａ  屈曲片
２Ｂ  支持片
３  固定ボルト挿通孔
４  長ボルト挿通孔
５  固定ボルト
１０  吊り金具
１１  支持部
１２  圧着部
１３  連結部
１４  羽根
１５  締付ボルト
１６  連結孔
１７  下部金具
１８  連結孔
１９  固定ボルト
２０  補強金具
２１  長ボルト
２２  係止板
【図１】
0005416758.tif 000002
【図２】
0005416758.tif 000003
【図３】
0005416758.tif 000004
【図４】
0005416758.tif 000005
【図５】
0005416758.tif 000006
【図６】
0005416758.tif 000007
【図７】
0005416758.tif 000008
【図８】
0005416758.tif 000009
【図９】
0005416758.tif 000010
【図１０】
0005416758.tif 000011